(57)【特許請求の範囲】
【請求項１】
化粧パネルの中央に開閉自在な吸込グリルを設けてなる天井埋込形空気調和機において、
前記吸込グリルの一側に突設し、更にその先端を下方に延出した支持腕の先端に円柱状の開閉軸を設け、前記吸込グリルを収納する前記化粧パネルの開口部の近傍の背面に、前記開閉軸を軸の両側より挟持する複数のリブを設け、更に前記開閉軸に対し前記開口部側のリブは前記支持腕と同幅の切欠を設け、前記開口部より遠い側のリブの先端に開閉軸側に突出した凸部を設け、同凸部と前記化粧パネルの背面とで前記開閉軸を挟持してなることを特徴とする天井埋込形空気調和機。
【請求項２】
前記開口部側のリブと、前記開口部より遠い側のリブの先端の凸部との前記開閉軸側の付け根の隅に、前記開閉軸の軸半径と同等の曲面を形成してなることを特徴とする請求項１に記載の天井埋込形空気調和機。
【請求項３】
化粧パネルの中央に開閉自在な吸込グリルを設けた天井埋込形空気調和機において、
前記吸込グリルの一側に突設し、更にその先端を下方に延出した支持腕の先端に円柱状の開閉軸を設け、前記吸込グリルを収納する前記化粧パネルの開口部の背面側周囲にフランジを設け、同フランジに前記支持腕と開閉軸とを挿通する開口孔を形成し、前記化粧パネル背面の前記開口部の近傍に前記支持腕と同幅の切欠を設けた第一リブを形成し、前記開閉軸を前記第一リブとにより挟持する第二リブを、前記フランジの開口孔の上縁より突設し、前記第二リブの前記開閉軸側に、前記開閉軸を前記化粧パネルの背面とにより挟持する段部を形成してなることを特徴とする天井埋込形空気調和機。
【請求項４】
前記開口部側の前記第一リブと、前記第二リブの段部との前記開閉軸側の付け根の隅に、前記開閉軸の軸半径と同等の曲面を形成してなることを特徴とする請求項３に記載の天井埋込形空気調和機。
【発明の詳細な説明】
【０００１】
【発明の属する技術分野】
本発明は、天井埋込形空気調和機に係わり、より詳細には、吸込グリル開閉部の構成に関する。
【０００２】
【従来の技術】
従来の天井埋込形空気調和機は、図１で示すように、化粧パネル１の中央に開閉自在な吸込グリル２を設け、同吸込グリル２の開閉支持部は、図８で示すように、前記吸込グリル２に係止した引掛金具３０を、前記化粧パネル１に形成したフック部１ｅに引っ掛けてなるものや、図９で示すように、前記吸込グリル２に形成した軸受部２ａと、前記化粧パネル１に形成した軸受部１ｆとに、軸３１を挿通してなる構成であった。
【０００３】
【発明が解決しようとする課題】
しかしながら、本構成では、清掃等のために吸込グリルを着脱する場合、前記吸込グリルの着脱がやり難いという問題点があった。本発明においては、上記の問題点に鑑み、吸込グリルの着脱がやり易い天井埋込形空気調和機を提供することを目的とする。
【０００４】
【課題を解決するための手段】
本発明は、上記課題を解決するため、化粧パネルの中央に開閉自在な吸込グリルを設けてなる天井埋込形空気調和機において、前記吸込グリルの一側に突設し、更にその先端を下方に延出した支持腕の先端に円柱状の開閉軸を設け、前記吸込グリルを収納する前記化粧パネルの開口部の近傍の背面に、前記開閉軸を軸の両側より挟持する複数のリブを設け、更に前記開閉軸に対し前記開口部側のリブは前記支持腕と同幅の切欠を設け、前記開口部より遠い側のリブの先端に開閉軸側に突出した凸部を設け、同凸部と前記化粧パネルの背面とで前記開閉軸を挟持した構成となっている。
【０００５】
また、前記開口部側のリブと、前記開口部より遠い側のリブの先端の凸部との前記開閉軸側の付け根の隅に、前記開閉軸の軸半径と同等の曲面を形成した構成となっている。
【０００６】
また、化粧パネルの中央に開閉自在な吸込グリルを設けた天井埋込形空気調和機において、前記吸込グリルの一側に突設し、更にその先端を下方に延出した支持腕の先端に円柱状の開閉軸を設け、前記吸込グリルを収納する前記化粧パネルの開口部の背面側周囲にフランジを設け、同フランジに前記支持腕と開閉軸とを挿通する開口孔を形成し、前記化粧パネル背面の前記開口部の近傍に前記支持腕と同幅の切欠を設けた第一リブを形成し、前記開閉軸を前記第一リブとにより挟持する第二リブを、前記フランジの開口孔の上縁より突設し、前記第二リブの前記開閉軸側に、前記開閉軸を前記化粧パネルの背面とにより挟持する段部を形成した構成となっている。
【０００７】
また、前記開口部側の前記第一リブと、前記第二リブの段部との前記開閉軸側の付け根の隅に、前記開閉軸の軸半径と同等の曲面を形成した構成となっている。
【０００８】
【発明の実施の形態】
以上のような構成にて、吸込グリルの着脱がやり易い天井埋込形空気調和機となる。
【０００９】
【実施例】
先ず、図１乃至図５にて示す、本発明の一実施例について説明する。図１に示すように、天井面に下方を向いて設置した化粧パネル１の中央に吸込グリル２を、外周部四辺に異なる方向を向いた四つの吹出口７を設け、前記吸込グリル２の上面にフィルタ３を、上方にモータ５にて駆動される送風ファン４を設け、同送風ファン４の外周に熱交換器６を設け、前記送風ファン４にて、前記吸込グリル２より室内空気を前記フィルタ３にて濾過して吸込み、前記熱交換器６にて熱交換した空気を前記吹出口７より吹き出す。図２乃至図５に示すように、ＡＢＳ（アクリルニトリルブタジエンスチレン）等の合成樹脂にて形成した前記吸込グリル２の一側の両端に突設し、更にその先端を同吸込グリル２の下方に延出した支持腕８を一体に形成し、同支持腕８の先端に円柱状の軸径ｄの開閉軸９を前記吸込グリル２の一側に平行に一体に形成する。一方、ＡＢＳ（アクリルニトリルブタジエンスチレン）等の合成樹脂にて形成した前記化粧パネル１の前記吸込グリル２を収納する開口部１ａの背面側周囲にフランジ１０を設け、同フランジ１０に前記支持腕８と前記開閉軸９とを挿通する開口孔１１を形成し、前記化粧パネル１の背面の前記開口部１ａの近傍に突出量ｈが前記軸径ｄの略半分であるリブ１２を前記支持腕８の両側に一体に形成し、同リブ１２の付け根に軸半径ｄ／２の曲面１３を形成し、前記リブ１２と対向して前記開閉軸９を挟持するリブ１４と同リブ１４の先端より突出した突出量ｈが前記軸径ｄの略半分である凸部１５とを前記化粧パネル１の背面に一体に形成し、前記凸部１５の付け根に軸半径ｄ／２の曲面１６を形成する。
【００１０】
上記構成において、前記化粧パネル１と前記吸込グリル２との組立て方について説明する。前記支持腕８と前記開閉軸９とを前記開口孔１１に挿通し、前記リブ１４と凸部１５とに前記開閉軸９を押し付けて撓ませることにより、前記開閉軸９を前記リブ１２の付け根の曲面１３と前記凸部１５の付け根の曲面１６との間に回動自在に挟持させる。
【００１１】
次に、図６にて示す、本発明の他の実施例について説明する。上記実施例とは、支持腕とリブの形成位置が異なる。前記支持腕８を前記開閉軸９の両端に設ける一方、前記凸部１５を設けたリブ１４を前記開閉軸９の両端に設け、前記開口部１ａ側のリブ１２を前記開閉軸９の中央に設ける。このようにすることにより、前記開閉軸９が前記支持腕８により両端で支えられ、強度が向上する。
【００１２】
次に、図７にて示す、本発明の他の実施例について説明する。上記他の実施例とは、リブの形成位置と形状が異なる。第一リブ１７は上記他の実施例のリブ１２と同様の位置に同様の形状で形成し、前記開閉軸９を前記第一リブ１７とにより挟持する第二リブ１９を、前記フランジ１０の開口孔１１の上縁より突設し、前記第二リブ１９の前記開閉軸９側に、前記開閉軸９を前記化粧パネル１の背面とにより挟持する段部２０を形成し、同段部２０の付け根に軸半径ｄ／２の曲面２１を形成する。このようにすることにより、前記第二リブ１９の長さを長くすることができ、前記化粧パネル１と前記吸込グリル２との組立て時、前記第二リブ１９が撓み易くなり、組立て易くなる。
【００１３】
前記開口部１ａより遠い側のリブ１４の先端の凸部１５の突出量ｈまたは前記第二リブ１９の段部２０の段差量と、前記開口部１ａ側のリブ１２の突出量ｈまたは前記第一リブ１７の突出量ｈとを、前記開閉軸９の軸径ｄの略半分とすることにより、前記化粧パネル１を前記吸込グリル２に組立て易く、かつ、外れ難くすることができる。
【００１４】
前記開口部１ａ側のリブ１２または前記第一リブ１７と、前記開口部１ａより遠い側のリブ１４の先端の凸部１５または前記第二リブ１９の段部２０との前記開閉軸９側の付け根の隅に、前記開閉軸９の軸半径ｄ／２と同等の曲面を形成することにより、前記開閉軸９が滑らかに回動するとともに、前記開閉軸９とリブとが磨耗し難くなる。
【００１５】
前記吸込グリル２と前記支持腕８と前記開閉軸９とを一体に形成することにより、部品点数を少なくし、かつ、寸法精度を高くすることができる。
【００１６】
前記化粧パネル１と前記リブ１２、１４または前記化粧パネル１と前記第一リブ１７と第二リブ１９とを一体に形成することにより、部品点数を少なくし、かつ、寸法精度を高くすることができる。
【００１７】
【発明の効果】
以上説明したように、本発明によれば、吸込グリルの着脱がやり易い天井埋込形空気調和機となる。
【図面の簡単な説明】
【図１】本発明および従来の天井埋込形空気調和機の全体構成を示す断面図である。
【図２】本発明による天井埋込形空気調和機の一実施例の要部分解斜視図である。
【図３】本発明による天井埋込形空気調和機の一実施例の要部斜視図である。
【図４】本発明による天井埋込形空気調和機の一実施例の要部断面図で、吸込グリルが開いた状態を示す。
【図５】本発明による天井埋込形空気調和機の一実施例の要部断面図で、吸込グリルが閉じた状態を示す。
【図６】本発明による天井埋込形空気調和機の他の実施例の要部分解斜視図である。
【図７】本発明による天井埋込形空気調和機の他の実施例の要部分解斜視図である。
【図８】従来例による天井埋込形空気調和機の要部分解斜視図である。
【図９】他の従来例による天井埋込形空気調和機の要部分解斜視図である。
【符号の説明】
１  化粧パネル
１ａ  開口部
２  吸込グリル
３  開閉軸
８  支持腕
９  開閉軸
１０  フランジ
１１  開口孔
１２  リブ
１３  曲面
１４  リブ
１５  凸部
１６  曲面
１７  第一リブ
１８  曲面
１９  第二リブ
２０  段部
２１  曲面
ｄ  軸径
ｈ  突出量
【図１】
0003750298.tif 000002
【図２】
0003750298.tif 000003
【図３】
0003750298.tif 000004
【図４】
0003750298.tif 000005
【図５】
0003750298.tif 000006
【図６】
0003750298.tif 000007
【図７】
0003750298.tif 000008
【図８】
0003750298.tif 000009
【図９】
0003750298.tif 000010